(57)【要約】【課題】メモ等を通常の筆記用具で枠内に配置した用紙に直接書き込むだけで、この筆記用具等の移動軌跡を記録して電子データとして保存する手帳装置を提供する。【解決手段】手帳装置は、手帳と、矩形状のフレーム１に取り付けられた少なくとも一組の発光素子と受光素子を備え、上記フレーム１内の物体に関連して生じる、上記発光素子から受光素子に到達する光の遮断を検知することにより、この物体のフレーム１内における位置情報を出力する光学式センサＳ１と、から構成され、この光学式センサＳ１の枠内から露呈した用紙Ｗの部分に、筆記用具Ｐ等で書き込むと、その筆記用具Ｐの先端の移動軌跡が、電子データとして記憶手段Ｍに記憶される。【選択図】図１
2012212411.tif 000002
【特許請求の範囲】
【請求項１】
筆記用具で書き込める用紙を綴じた手帳と、上記用紙の少なくとも一部分を囲む、下記（Ａ）の枠状の光学式センサと、この光学式センサの枠内から露呈した上記用紙の部分に筆記用具で書き込むときに、その筆記用具の先端の移動軌跡を電子データとして記憶する記憶手段と、を備えていることを特徴とする手帳装置。
（Ａ）矩形状のフレームと、これに取り付けられた少なくとも一組の発光素子と受光素子とから構成され、上記フレーム内の物体に関連して生じる、上記発光素子から受光素子に到達する光の遮断を検知することにより、この物体のフレーム内における位置情報を出力する光学式センサ。
【請求項２】
上記（Ａ）の枠状光学式センサのフレームに、その枠状において互いに対向する一方の部分に複数の発光素子が並んで配置され、他方の部分に複数の受光素子が並んで配置され、各発光素子および受光素子が上記フレームの内側に向かって位置決めされ、上記発光素子から受光素子に向かって出射された光が、上記フレーム内に、縦横に交差する光の格子を形成するようになっている、請求項１記載の手帳装置。
【請求項３】
上記（Ａ）の枠状光学式センサのフレームの四つの角部のうち、一つの辺の両側の角部に、上記発光素子と複数の受光素子からなる受光素子アレイとを上下に重ねたモジュールがそれぞれ配置され、これらモジュールの間の上記一つの辺を除く三つの辺の内側面に、テープ状の再帰性光反射体が配設され、一方のモジュールの発光素子から出射された光が、上記再帰性光反射体により反射されて、この一方のモジュールの受光素子アレイに再帰入射するようになっている、請求項１記載の手帳装置。
【発明の詳細な説明】
【技術分野】
【０００１】
本発明は、光学的な位置検出手段を備える手帳装置に関するものである。
【背景技術】
【０００２】
手帳には、電子手帳のように、メモや日程等をデジタル処理するものがある（特許文献１を参照）。このものは、日程表等を表示するディスプレイを備えており、そのディスプレイに、専用ペンを用いてメモ等を入力することができるようになっている。すなわち、上記ディスプレイは、タッチセンサ付きのもの（タッチパネル）になっており、そのディスプレイに、上記専用ペンの先端を接触させ、その専用ペンを動かすことにより、その専用ペンの先端の移動軌跡がメモ等として、上記ディスプレイに入力されるようになっている。そして、上記ディスプレイに表示された日程表等の情報に、上記入力したメモ等の情報が重ね合わさった状態で、そのデータが上記電子手帳に保存（記憶）されるようになっている。
【０００３】
上記のような電子手帳は、専用のペンや機器を操作する人の指等の触れた位置を、二次元（ｘ−ｙ方向）で検出する触れ位置検出手段を備えており、モニターやそのパネルの下に配置された液晶画面等のフラットディスプレイの表示と連携して、上記電子手帳等を操作できるようになっている。この触れ位置検出手段（タッチセンサ）としては、通常、価格や性能，耐久性等の観点から、抵抗膜方式や静電容量方式，電磁誘導方式等を採用したものが多く用いられている。これらの方式のタッチパネルは、そのパネルの表面近傍に、多数の電気的な接点がマトリックス状に配置された構造を有する。
【先行技術文献】
【特許文献】
【０００４】
【特許文献１】特許第３７４６３７８号公報
【発明の概要】
【発明が解決しようとする課題】
【０００５】
ところで、上記のような電子手帳装置は、簡単に文字や日程等を入力することができて便利ではあるものの、コンピュータ，電子情報機器等の操作に不慣れな人や、高齢者等を中心に、筆跡や文字等がディスプレイ等に仮想表示される電子手帳より、紙等の媒体上に直接筆跡が残る形で書き込みを行いたい、という要望が依然として根強い。
【０００６】
本発明は、このような事情に鑑みなされたもので、メモや日程等を通常の筆記用具で枠内に配置した用紙に直接書き込むだけで、この筆記用具等の移動軌跡を記録して電子データとして保存する手帳装置の提供をその目的とする。
【課題を解決するための手段】
【０００７】
上記の目的を達成するため、本発明の手帳装置は、筆記用具で書き込める用紙を綴じた手帳と、上記用紙の少なくとも一部分を囲む、下記（Ａ）の枠状の光学式センサと、この光学式センサの枠内から露呈した上記用紙の部分に筆記用具で書き込むときに、その筆記用具の先端の移動軌跡を電子データとして記憶する記憶手段と、を備える構成をとる。
（Ａ）矩形状のフレームと、これに取り付けられた少なくとも一組の発光素子と受光素子とから構成され、上記フレーム内の物体に関連して生じる、上記発光素子から受光素子に到達する光の遮断を検知することにより、この物体のフレーム内における位置情報を出力する光学式センサ。
【発明の効果】
【０００８】
本発明の手帳装置は、書き込み用の用紙（手帳のうちの１葉）の上に載置され、この用紙の少なくとも一部分がその枠内から露呈する上記（Ａ）の枠状の光学式センサと、この光学式センサから得られる筆記用具の移動軌跡情報を、電子データとして記憶する記憶手段とを備えている。そのため、上記光学式センサの枠内から露呈した用紙の部分に、筆記用具等で書き込むと、その軌跡（筆跡）は、上記用紙に残るとともに、上記記憶手段に電子データとして保存（記憶）される。これにより、本発明の手帳装置は、電子化することに特別な配慮を払うことなく、メモや日程等を、通常の筆記用具で枠内に載置した用紙に直接書き込むだけで、その筆記用具の移動軌跡が自動的に電子化される。また、上記電子化された情報は、上記記憶手段からパーソナルコンピュータ等を利用して引き出す（再生する）ことができ、他者との共有化や、知識や記録等の保管も簡単に行うことができて、便利である。
【０００９】
また、本発明の手帳装置は、筆記用具の先端部の触れ位置の検出手段（光学式センサ）として、上記（Ａ）矩形状のフレームと、これに取り付けられた少なくとも一組の発光素子と受光素子とから構成され、上記フレーム内の物体に関連して生じる、上記発光素子から受光素子に到達する光の遮断を検知することにより、この物体のフレーム内における位置情報を出力する光学式センサを用いている。そのため、触れ位置の検出面に、電気的な（物理的な）接点がなく、耐久性に優れるうえ、埃や汚れ等の影響も受けにくい。また、筆記用具で書き込む際も、抵抗膜方式や静電容量方式，電磁誘導方式等のような大きな筆圧を必要とせず、センサを意識しない、自然な書き込みを行うことができる。
【００１０】
さらに、本発明の手帳装置のなかでも、上記（Ａ）の枠状光学式センサとして、そのフレーム内に、その枠状において互いに対向する一方の部分に複数の発光素子が並んで配置され、他方の部分に複数の受光素子が並んで配置され、各発光素子および受光素子が上記フレームの内側に向かって位置決めされ、上記発光素子から受光素子に向かって出射された光が、上記フレーム内に、縦横に交差する光の格子を形成するようになっている光学式センサを用いるものは、これら発光素子（光源）として発光ダイオード（ＬＥＤ）等を使用し、受光素子としてフォトダイオード（ＰＤ）を用いる等、汎用的な部品を使用することができる。したがって、上記光学式センサを安価に構成できる点で有利である。また、耐衝撃に優れ、耐久性があるというメリットがある。
【００１１】
そして、本発明の手帳装置において、上記（Ａ）の枠状光学式センサとして、そのフレームの四つの角部のうち、一つの辺の両側の角部に、上記発光素子と複数の受光素子からなる受光素子アレイとを上下に重ねたモジュールがそれぞれ配置され、これらモジュールの間の上記一つの辺を除く三つの辺の内側面に、テープ状の再帰性光反射体が配設され、一方のモジュールの発光素子から出射された光が、上記再帰性光反射体により反射されて、この一方のモジュールの受光素子アレイに再帰入射するようになっている光学式センサを用いるものは、少ない部品点数で、三角測量により、上記筆記用具の先端の位置を特定できる。また、この手帳装置も、汎用的な部品を用いて、安価に構成することができるという利点を有する。
【図面の簡単な説明】
【００１２】
【図１】本発明の第１実施形態における手帳装置の全体構成を説明する図である。
【図２】本発明の手帳装置に用いる光学式センサの一実施例の構成を説明する平面図である。
【図３】（ａ）は本発明の手帳装置に用いる光学式センサの他の実施例の構成を説明する平面図であり、（ｂ）はそのＺ部拡大図である。
【図４】（ａ）〜（ｃ）は本発明の第２実施形態における手帳装置の構成を説明する図である。
【図５】（ａ）〜（ｃ）は本発明の第３実施形態における手帳装置の構成を説明する図である。
【図６】（ａ）〜（ｆ）は本発明の第４実施形態における手帳装置の構成を説明する図である。
【図７】本発明の第５実施形態の手帳装置に用いる光学式センサの構成を説明する斜視図である。
【図８】（ａ），（ｂ）は本発明の手帳装置に用いる光学式センサの一部構造を説明する図である。
【図９】本発明の第６実施形態における手帳装置の構成を説明する図である。
【発明を実施するための形態】
【００１３】
つぎに、本発明の実施の形態を、図面にもとづいて詳しく説明する。ただし、本発明は、この実施の形態に限定されるものではない。
【００１４】
図１は、本発明の第１実施形態における手帳装置の全体構成を説明する図である。
この手帳装置は、筆記用具Ｐで書き込める用紙Ｗ（手帳のレフィル用紙のうちの１葉）の少なくとも一部分を囲む枠状の光学式センサＳ１と、光学式センサＳ１の枠内における筆記用具Ｐの先端の移動軌跡を、電子データとして記憶する記憶手段Ｍと、を備える。そして、上記光学式センサＳ１は、矩形状のフレーム１と、このフレーム１に取り付けられた少なくとも一組の発光素子と受光素子とから構成され（いずれも図示せず）、上記フレーム１内の物体（例えば筆記用具Ｐ等）に関連して生じる、上記発光素子から受光素子に到達する光の遮断を検知することにより、上記筆記用具Ｐ等のフレーム１内における位置情報を出力するようになっている。これが本発明の手帳装置の特徴である。
【００１５】
また、上記手帳装置において、上記光学式センサＳ１と記憶手段Ｍとは、記憶装置として一体に形成され、その記憶装置が、上記フレーム１に設けられた穴１ａを介して、手帳カバー（システム手帳のカバー）Ｎのリング状保持部材Ｒに挿通可能になっている。そのため、上記光学式センサＳ１は、用紙に対して設置自在あるいは着脱自在で、上記用紙Ｗを新しいものに簡単に交換することができる。さらに、用紙Ｗを新しいものに交換しても、上記記憶した内容（移動軌跡）を、上記記憶装置の記憶手段からコンピュータ等を利用して、容易に引き出す（再生する）ことができるという特徴を有する。
【００１６】
なお、上記手帳装置には、後記の、入力を手動で停止するための入力操作停止（入力キャンセル）スイッチＱや、異常や警告等を表示するランプＬ、光学式センサＳ１が持ち上げられた場合に入力を無効にする入力禁止スイッチ（図示省略）等が配設されている。また、通信（電源）ケーブル（ない場合もある）や、これを駆動するためのバッテリ、上記発光素子および受光素子のドライバ等の制御手段、コンピュータ等の情報機器と通信するための通信手段（有線または無線）が、肉厚状となった太枠部２等に内蔵されているが、いずれも図示を省略している。
【００１７】
つぎに、本発明の実施の形態で用いられる光学式センサ（上記Ｓ１、または、後記のＳ２〜Ｓ６）の具体的な構成例として、直交する格子状の光の遮蔽により物体の触れ位置を検出する方式の光学式センサＳａと、物体による光の遮蔽位置を三角測量により割り出す方式の光学式センサＳｂの二つのタイプの光学式センサについて説明する。
【００１８】
まず、上記手帳装置に用いられる光学式センサの具体的な一実施例として、光学式センサ（Ｓａ）のフレーム１内に、発光素子（光源）として多数の発光ダイオード（ＬＥＤ）を並べて配置し、受光素子として多数のフォトダイオード（ＰＤ）を並べて配置することにより、光学式センサＳ１の枠内に、筆記用具Ｐの先端部（Ｔ）検出用の光の格子を形成する光学式センサＳａについて説明する。
【００１９】
図２は、本発明の手帳装置で用いられる光学式センサの一実施例（Ｓａ）の概略構成を説明する平面図である。なお、この図においては、説明を容易にするために、フレーム１の短辺Ｘ１，Ｘ２方向を横方向（ｘ方向）とし、フレーム１の長辺Ｙ１，Ｙ２方向を縦方向（ｙ方向）とするとともに、フレーム１内側の格子状の光（不可視の赤外光）を二点鎖線で表示している。また、ＬＥＤ，ＰＤの個数と格子状の光の本数は数を省略し、このフレーム１内の電気配線等を点線で表示するとともに、手帳装置を駆動するためのバッテリや、パーソナルコンピュータ等の情報機器と通信するための通信手段（ケーブルまたは無線アンテナ）等は、図示を省略している（後記の図３も同様）。
【００２０】
この一実施例における光学式センサＳａは、筆記用具Ｐで書き込める用紙Ｗの上に載置することにより、枠状のフレーム１内側の四角状の領域（検知領域）における筆記用具Ｐの先端（触れ位置Ｔ）の位置（ｘ−ｙ座標）を検出する触れ位置検出手段を有する光学式センサＳａと、この光学式センサＳａにより得られた筆記用具Ｐの先端位置の移動軌跡情報（ｘ−ｙ位置の変化）を記憶し、発光素子および受光素子の制御手段を兼用する記憶手段ＭＣ（内蔵）と、上記筆記用具Ｐによる入力を手動で停止することのできる入力操作停止スイッチＱと、機器の異常や警告等を表示する複数のランプＬと、を備えている。
【００２１】
光学式センサＳａのフレーム１部分には、図２のように、上記触れ位置検出手段の発光部として、そのフレーム１内に並べて配置された多数のＬＥＤ３，３，・・・からなる光源が設けられており、上記各ＬＥＤ３が配置されたフレーム１の部位（辺Ｘ１，Ｙ１）に対向するフレーム１部分（辺Ｘ２，Ｙ２）には、これら各ＬＥＤ３に対応する多数のＰＤ４，４，・・・からなる受光部が形成され、これら各ＬＥＤ３とＰＤ４とは、上記枠状のフレーム１の内縁に沿って、その先端が内側に向くように並べて位置決めされている。そして、各ＬＥＤ３およびＰＤ４のコントローラ（制御手段）を兼用する記憶手段ＭＣの制御により、上記各ＬＥＤ３を一斉に、あるいは、走査方向に順次発光させることによって、フレーム１内の四角状の検知領域に、縦横に直交する光の格子（二点鎖線）が形成される。
【００２２】
なお、上記発光素子（光源）として使用するＬＥＤ３としては、近赤外（波長：７００〜２５００ｎｍ）の光を発光するタイプの赤外ＬＥＤ（赤外発光ダイオード）が好ましい。また、受光素子としては、上記フォトダイオード（ＰＤ）の他、多数の受光素子がバー状あるいはアレイ状に一列に並ぶリニアセンサアレイや、イメージセンサ等を用いてもよい。
【００２３】
上記一実施例の光学式センサＳａを用いた筆記用具Ｐの触れ位置Ｔの検出は、以下のような手順で行われる。すなわち、まず、コントローラを兼用する記憶手段ＭＣを備える光学式センサＳａ（記憶装置）を、筆記可能な用紙Ｗの少なくとも一部分を囲むように、その用紙Ｗの上に載置する（図１参照）。つぎに、校正（キャリブレーション）として、上記発光部のＬＥＤ３を一つずつ（端から）順次発光させながら、このＬＥＤ３に対応（対向）するＰＤ４に到達する光（格子光）の強度を、発光時と未発光時で測定し、各ＰＤ４ごとに、遮光による物体の検知・非検知のしきい値を決定して、上記記憶手段ＭＣにテーブル等として記憶する。
【００２４】
つぎに、上記コントローラを兼用する記憶手段ＭＣにより、上記各ＬＥＤ３を順次発光させ、光学式センサＳａの検知領域内を走査（スキャン）した状態で、この光学式センサＳａの枠内から露呈した用紙Ｗの部分に、筆記用具Ｐの先端を降ろすと、図２のように、上記枠内を通る格子状の光の一部が筆記用具Ｐの先端により遮断され、その遮断部分が上記触れ位置検出手段の該当ＰＤ４により検知されることにより、上記筆記用具Ｐ先端の枠内における座標位置（ｘ−ｙ軸、図２中の「触れ位置Ｔ」を参照）が特定され、その座標が上記記憶手段ＭＣに記憶される。なお、上記光の遮断部分が検知領域内に複数（２点以上）存在すると検出された場合や、太陽光や電灯光等の影響により上記光の遮断部分が正確に検出されない場合等、筆記用具Ｐの先端の座標が特定できない時は、上記検知領域内の走査が中止され、前記ランプＬの点灯等により、検知の異常が通知（警告）される。
【００２５】
ついで、上記筆記用具Ｐを移動させてメモや日程等を書き込むと、その移動に伴う上記筆記用具Ｐの先端の軌跡（メモ等の書き込み情報）が検出され、その軌跡がデジタルデータ（電子データ）として上記記憶手段ＭＣに記憶される。すなわち、光学式センサＳａの枠内から露呈した用紙Ｗの部分に、筆記用具Ｐでメモや日程等を書き込むと同時に、そのメモ等の情報が上記コントローラを兼用する記憶手段ＭＣのメモリ等に記録される。
【００２６】
なお、上記フレーム１の一部（肉厚状となった太枠部２）の上面には、先に述べた、入力操作停止用のスイッチＱが配設されている（図２参照）。この入力操作停止スイッチＱは、上記触れ位置検出手段による筆記用具Ｐの先端等の検出を無効化するもので、そのＯＮ−ＯＦＦ操作により、上記ＬＥＤ３の発光または上記ＰＤ４の受光を停止するか、あるいは、上記記憶手段ＭＣにおける演算を停止する等して、上記筆記用具Ｐ等による情報入力を、入力者の任意のタイミングで停止することができる。この入力操作停止用のスイッチＱを用いることにより、用紙Ｗの交換やページ送りのために光学式センサＳａを移動等する際に発生する誤作動（誤検出）を、防止することができる。
【００２７】
上記入力操作停止スイッチＱとしては、プッシュ，ボタン，タクト，スライド等の各種機械式スイッチの他、タッチスイッチや感圧スイッチ等、電磁式あるいは光学式スイッチを用いることができる。また、上記入力操作停止スイッチＱが作動した場合に、「入力操作停止中」であることを明示するために、上記ランプＬを点灯させる等の警告表示を行ってもよい。
【００２８】
上記のような一実施例の光学式センサＳａを用いた手帳装置によれば、電子化することに特別な配慮を払うことなく、メモや日程等を、通常の筆記用具で枠内に載置した用紙に直接書き込むだけで、その筆記用具の移動軌跡が自動的に電子化される。また、上記電子化された情報は、上記記憶手段ＭＣからコンピュータ等を利用して引き出す（再生する）ことができ、他者との共有化や、知識や記録等の保管も簡単に行うことができる。さらに、上記一実施例の光学式センサＳａは、発光素子（光源）として発光ダイオード（ＬＥＤ）等を使用し、受光素子としてフォトダイオード（ＰＤ）を用いる等、汎用的な部品を使用することができるため、手帳装置を安価に構成することができる点で有利である。
【００２９】
つぎに、光学式センサ（Ｓｂ）のフレーム１の二つの角部に、発光素子と受光素子アレイとからなるモジュール（Ｃ１，Ｃ２）をそれぞれ配置し、これら二つのモジュールを用いて、枠内の筆記用具Ｐの先端の位置を三角測量法により特定する、他の実施例の光学式センサＳｂについて説明する。
【００３０】
図３（ａ）は、本発明の手帳装置で用いられる光学式センサの他の実施例（Ｓｂ）の概略構成を説明する平面図であり、図３（ｂ）は、そのＺ部拡大図である。なお、これらの図においても、フレーム１の短辺Ｘ１，Ｘ２方向を横方向（ｘ方向）とし、フレーム１の長辺Ｙ１，Ｙ２方向を縦方向（ｙ方向）とするとともに、前記太枠部２内に配置されるバッテリや通信手段等の図示を省略している。
【００３１】
この他の実施例における光学式センサＳｂも、筆記用具Ｐで書き込める用紙Ｗの上に載置することにより、枠状のフレーム１内側の四角状の領域（検知領域）における筆記用具Ｐの先端（触れ位置Ｔ）の位置（ｘ−ｙ座標）を検出する触れ位置検出手段を有する光学式センサＳｂと、この光学式センサＳｂにより得られた筆記用具Ｐの先端位置の移動軌跡情報（ｘ−ｙ位置の変化）を記憶する記憶手段ＭＣ（内蔵）と、上記筆記用具Ｐによる入力を手動で停止することのできる入力操作停止スイッチＱと、機器の異常や警告等を表示する複数のランプＬと、を備えている。
【００３２】
上記他の実施形態の光学式センサＳｂが、先の一実施例における光学式センサ（Ｓａ）と異なる点は、その光学式センサＳｂのフレーム１の四つの角部のうち、一つの辺（本例においてはＸ２）の両側の角部１ｂ，１ｃに、図３（ｂ）のような、発光素子（ＬＥＤ３）と受光素子アレイ（イメージセンサ５）とを上下に組み合わせた受発光モジュール（カメラモジュールＣ１，Ｃ２）がそれぞれ配置され、これらカメラモジュールＣ１，Ｃ２の間の上記一つの辺（Ｘ２）を除く三つの辺（Ｘ１，Ｙ１，Ｙ２）の内側面に、図３（ａ）のように、テープ状の再帰性光反射体（再帰反射テープ６）が貼り付けられている点である。なお、記憶手段ＭＣは、上記第１実施形態と同様、ＬＥＤ３やイメージセンサ５のコントローラ（制御手段）を兼用するようになっている。
【００３３】
この構成により、上記他の実施例の光学式センサＳｂは、各カメラモジュールＣ１，Ｃ２の各ＬＥＤ３から出射された光が、上記再帰反射テープ６の反射により、出射元のカメラモジュールＣ１，Ｃ２に向かって再帰し、その枠内に、図３（ａ）に示すような、光が各カメラモジュールＣ１，Ｃ２ごとに波紋様に広がる、放射状の光の交差が生じる。
【００３４】
なお、上記カメラモジュールＣ１，Ｃ２の発光素子（光源）としては、近赤外（波長：７００〜２５００ｎｍ）の光を発光するタイプの赤外ＬＥＤ（赤外発光ダイオード）が好ましい。また、受光素子としては、ＣＣＤ，ＣＭＯＳ等のイメージセンサや、多数の受光素子が一列に並ぶＣＭＯＳリニアセンサアレイ等を用いることができる。
【００３５】
また、上記フレーム１の三つの辺（Ｘ１，Ｙ１，Ｙ２）の内側面に取り付ける再帰性光反射体としては、マイクロプリズム式またはガラスビーズ式のどちらでもよい。さらに、上記例では、取扱いが容易なように、テープ状の成形体を用いているが、その代わりに、上記三つの辺（Ｘ１，Ｙ１，Ｙ２）の内側面に、光再帰性を有するの塗料等を塗布してもよい。
【００３６】
上記他の実施例の光学式センサＳｂを用いた筆記用具Ｐの触れ位置Ｔの検出は、以下のような手順で行われる。すなわち、まず、コントローラを兼用する記憶手段ＭＣを備える光学式センサＳｂ（記憶装置）を、筆記可能な用紙Ｗの少なくとも一部分を囲むように、その用紙Ｗの上に載置する（図１参照）。つぎに、校正（キャリブレーション）として、上記カメラモジュールＣ１，Ｃ２の各ＬＥＤ３を発光させながら、各カメラモジュールＣ１，Ｃ２の各イメージセンサ５に再帰する光（再帰光）の強度を、発光時と未発光時で測定し、各カメラモジュールＣ１，Ｃ２ごとに、遮光による物体の検知・非検知のしきい値を決定して、上記記憶手段ＭＣにテーブル等として記憶する。
【００３７】
つぎに、上記コントローラを兼用する記憶手段ＭＣにより、上記各ＬＥＤ３を発光させた状態で、この光学式センサＳｂの枠内から露呈した用紙Ｗの部分に、筆記用具Ｐの先端を降ろすと、図３（ａ）のように、上記枠内を通る交差状の光の一部が筆記用具Ｐの先端により遮断され、その遮断部分が上記各カメラモジュールＣ１，Ｃ２の該当受光素子により検知される。また、演算装置等（図示省略）を用いて、上記コントローラを兼用する記憶手段ＭＣで検知された遮断（遮光）位置を三角測量法により求め、上記筆記用具Ｐ先端の枠内における座標位置〔ｘ−ｙ軸、図３（ａ）中の「触れ位置Ｔ」を参照〕を特定して、その座標を記憶手段ＭＣが記憶する。
【００３８】
なお、前記格子状の光で座標を検出する光学式センサＳａと同様、上記光の遮断部分が検知領域内に複数（２点以上）存在すると検出された場合や、太陽光や電灯光等の影響により上記光の遮断部分が正確に検出されない場合等、筆記用具Ｐの先端の座標が特定できない時は、上記検知領域内の走査が中止され、前記ランプＬの点灯等により、検知の異常が通知（警告）される。
【００３９】
ついで、上記筆記用具Ｐを移動させてメモや日程等を書き込むと、その移動に伴う上記筆記用具Ｐの先端の軌跡（メモ等の書き込み情報）が検出，演算され、その軌跡のデジタルデータ（電子データ）が、上記記憶手段ＭＣに記憶される。すなわち、光学式センサＳｂの枠内から露呈した用紙Ｗの部分に、筆記用具Ｐでメモや日程等を書き込むと同時に、そのメモ等の情報が上記コントローラを兼用する記憶手段ＭＣのメモリ等に記録される。
【００４０】
上記のような他の実施例の光学式センサＳｂを用いた手帳装置によれば、前記一実施例の光学式センサ（Ｓａ）と同様、電子化することに特別な配慮を払うことなく、メモ等を、通常の筆記用具で枠内に載置した用紙に直接書き込むだけで、その筆記用具の移動軌跡が自動的に電子化される。また、上記他の実施例の光学式センサＳｂは、発光素子（光源）として発光ダイオード（ＬＥＤ）等を使用し、受光素子としてＣＣＤ，ＣＭＯＳ等のイメージセンサを用いる等、汎用的な部品を使用することができるため、構成する光学部品の点数が少ないことと相俟って、手帳装置を安価に構成することが可能になる。
【００４１】
つぎに、上記二つのタイプの光学式センサ（格子状の光を用いるＳａまたは三角測量を用いるＳｂ）のいずれかを使用した、本発明の手帳装置の種々のバリエーション（第２〜第６実施形態）について説明する。なお、後記の各図では、前記第１実施形態（図１）と、上記一実施例（図２）および他の実施例（図３）の光学式センサと同様の機能を有する構成部材には同じ符号を付して、その詳細な説明を省略するとともに、フレーム１の短辺方向を横方向（ｘ方向）とし、フレーム１の長辺方向を縦方向（ｙ方向）として説明する。また、後記の各図において、１は枠状のフレーム、２（および２Ａ，２Ｂ，２Ｃ，２Ｄ，２Ｅ，２Ｆ，２Ｇ）はフレーム１の太枠部、Ｍは記憶手段またはコントローラ（制御手段）を兼用する記憶手段、Ｎは手帳カバー、Ｒはシステム手帳のリング状保持部材、Ｗは手帳の用紙、Ｑは入力操作停止用のスイッチ、Ｌは警告用のランプ、１ａはシステム手帳のリング状保持部材Ｒに挿通するための穴を示す。
【００４２】
図４（ａ）は本発明の第２実施形態における手帳装置の構成を説明する平面図であり、図４（ｂ）はその手帳装置を閉じた状態を手帳横側から見た側面図、図４（ｃ）は同じく閉じた状態を手帳下側から見た下面図である。
【００４３】
この第２実施形態の手帳装置が、前記第１実施形態の手帳装置と異なる点は、上記図４（ａ）に示すように、光学式センサＳ２の枠状のフレーム１における縦方向の上下両側（図示上下）に、肉厚状の太枠部２（２Ａ，２Ｂ）がそれぞれ設けられている点である。これにより、薄板状のフレーム１の枠状部に収容することのできない、厚みのある各種モジュールや部品（例えば、発光素子および受光素子のコントローラ等の制御手段，演算手段，通信手段や、バッテリ，ケーブル，コネクタ等）を、これら２個所の太枠部２Ａ，２Ｂに効率よく分散させ、省スペースに収容することができる。
【００４４】
また、この構成により、本実施形態における手帳装置は、図４（ｂ）のように、システム手帳の手帳カバーＮを閉じた状態でも、上記光学式センサＳ２の各太枠部２Ａ，２Ｂが、この手帳カバーＮと用紙Ｗとの間に形成される空間（隙間）に収まり、手帳装置の側面から突出することがない。したがって、この光学式センサＳ２の傷付きや破損等が防止される。しかも、太枠部（２）が１個所しかない第１実施形態の光学式センサ（Ｓ１）を用いた手帳装置に比べ、センサを使用しない保管時においても、手帳全体が嵩張らずコンパクトで、携行時等にも邪魔になりにくいという利点がある。
【００４５】
つぎに、図５（ａ）は本発明の第３実施形態における手帳装置の構成を説明する平面図であり、図５（ｂ）はその手帳装置を閉じた状態を手帳横側から見た側面図、図５（ｃ）は同じく閉じた状態を手帳下側から見た下面図である。
【００４６】
この第３実施形態の手帳装置が、前記第１，第２実施形態の手帳装置と異なる点は、上記図５（ａ）に示すように、光学式センサＳ３の枠状のフレーム１における横方向（図示右側）に、肉厚状の太枠部２（２Ｃ）が設けられており、この太枠部２Ｃに、薄板状のフレーム１の枠状部に収容することのできない、厚みのある各種モジュールや部品等が収容されている点である。
【００４７】
この構成によっても、上記第２実施形態と同様、本実施形態における手帳装置は、図５（ｃ）のように、システム手帳の手帳カバーＮを閉じた状態でも、上記光学式センサＳ３の太枠部２Ｃが、この手帳カバーＮと用紙Ｗとの間に形成される空間（隙間）に収まり、手帳装置の側面から突出することがない。したがって、この手帳装置においても、光学式センサＳ３の傷付きや破損等が防止されるとともに、センサを使用しない保管時等においても手帳全体が嵩張らず、携行時にもコンパクトである。
【００４８】
つぎに、図６（ａ），（ｂ）は本発明の第４実施形態における手帳装置の構成を説明する平面図であり、図６（ｃ）はその手帳装置を閉じた状態を手帳横側から見た側面図、図６（ｅ）は同じく閉じた状態を手帳下側から見た下面図である。また、図６（ｄ）は上記手帳装置に用いられている光学式センサＳ４の太枠部２Ｄ，２Ｅの縦方向の外形形状を模式的に表す図であり、図６（ｆ）は上記光学式センサＳ４の太枠部２Ｆの横方向の外形形状を模式的に示す図である。
【００４９】
上記第４実施形態の手帳装置の光学式センサＳ４は、システム手帳の見開きの左右両側ページのどちらでも使用できるように構成されているものであり、図６（ａ）の右ページ使用図および図６（ｂ）の左ページ使用図に示すように、入力操作停止用のスイッチＱや警告用のランプＬ等は、いずれの状態でも利用できるように、上記光学式センサＳ４の表裏両面に、例えばＱ’やＬ’としてそれぞれ設けられている。また、厚みのある各種モジュールや部品等を収容するための太枠部２（２Ｄ，２Ｅ，２Ｆ）は、その枠状のフレーム１における縦方向の上下両側（図示上下）および横方向（図示右側）、すなわち、システム手帳のリング状保持部材Ｒに挿通される穴１ａが形成された辺を除く３辺に形成されている。
【００５０】
なお、フレーム１の縦方向上下両側（図示上下）の太枠部２Ｄ，２Ｅは、上記左右ページでの使用に対応できるように、前記第２実施形態の太枠部〔２Ａ，２Ｂ  図４（ｂ）参照〕とは異なり、図６（ｄ）のように、フレーム１の表裏両方向に膨出する形状に形成されている。また、フレーム１の横方向（図示右側）の太枠部２Ｆも、上記太枠部２Ｄ，２Ｅと同様、図６（ｆ）のように、フレーム１の表裏両方向に膨出する形状に形成されている〔参考として、前記第３実施形態の太枠部２Ｃ  図５（ｃ）参照〕。
【００５１】
この構成によっても、上記第２，第３実施形態と同様、本実施形態における手帳装置は、図６（ｃ），（ｅ）のように、システム手帳の手帳カバーＮを閉じた状態でも、上記光学式センサＳ４の太枠部２Ｄ，２Ｅ，２Ｆが、この手帳カバーＮと用紙Ｗとの間に形成される空間（隙間）に収まり、手帳装置の側面から突出することがない。したがって、この手帳装置においても、光学式センサＳ４の傷付きや破損等が防止されるとともに、センサを使用しない保管時等においても手帳全体が嵩張らず、携行時にもコンパクトである。しかも、上記太枠部２Ｄ，２Ｅ，２Ｆが、フレーム１の表裏方向に膨出する形状で、かつ、用紙Ｗを囲むフレーム１の３辺に形成されていることから、この用紙Ｗの位置合わせが容易になるという利点がある。
【００５２】
つぎに、上記各実施形態の手帳装置で用いる光学式センサ（Ｓ１〜Ｓ４）の変形例について説明する。
【００５３】
図７は本発明の手帳装置に用いる第５実施形態の光学式センサ（Ｓ５）の構成例を示す斜視図であり、図８（ａ）はこの光学式センサＳ５を横方向（ｘ方向）から見た側面図、図８（ｂ）は上記光学式センサＳ５の太枠部２Ｇの部分拡大断面図である。なお、上記図７，図８においては、光学式センサＳ５の記憶手段（Ｍ）の図示を省略している。
【００５４】
この実施形態における手帳装置の光学式センサＳ５が、他の実施形態における光学式センサ（Ｓ１〜Ｓ４）と異なる点は、システム手帳のリング状保持部材Ｒに挿通される穴１ａが設けられた部位（フレーム１の一部の位置決め部７）が、フレーム１の枠状部分と分離可能に形成されている点である。また、厚みのある各種モジュールや部品等を収容するための太枠部２（２Ｇ）が、枠状のフレーム１における縦方向の上側（図示右側）に設けられ、その太枠部２Ｇの内部には、図８（ｂ）に示すような、フレーム１の裏面（下面）側に向かって取り付けられた入力禁止スイッチＲが内蔵されている。さらに、上記光学式センサＳ５には、図７に示すように、枠状のフレーム１表面の内縁部（枠の内側の「検知領域」の縁部）に、線引きの目安や定規として利用することのできる目盛り線１ｇが形成されており、その外縁の一部には、前記筆記用具Ｐやその他の筆記具等を保持させておくことのできるペンホルダ１ｈが取り付けられている。
【００５５】
上記フレーム（本体）１と分離可能な位置決め部７との間の接続（連結）は、形状的な係合−被係合構造により行うか、あるいは、これらフレーム（本体）１と位置決め部７の両者の対向面に内蔵した磁石を利用した吸着等により行うことができる。また、これらとは別の部材（連結部材）を介して連結してもよい。
【００５６】
上記入力禁止スイッチＲは、図８（ｂ）の断面図に示すように、上記フレーム１の太枠部２Ｇの内部に設けられた、裏面側に向かって開口する凹部２ａ内に、フレーム下側に向かって配設されている。この入力禁止スイッチＲは、上記光学式センサＳ５のフレーム１を持ち上げる（浮かせる）ことにより、図中の仮想線（二点鎖線）に示すように、上記入力禁止スイッチＲの先端が矢印方向にフレーム裏面から突出して作動する。そして、この入力禁止スイッチＲの作動により、光学式センサＳ５に内蔵された触れ位置検出手段あるいは記憶手段（Ｍ）等における演算を停止させるか、または、光学式センサＳ５全体の電源を切る方法等により、上記筆記用具Ｐ等による情報入力が（自動的に）不可能になるようになっている。これにより、上記光学式センサＳ５が宙に浮いた状態、または、用紙Ｗ等の上の所定位置にきちんと載置されていない状態等、入力に不適切な状態で上記新たな情報が光学式センサＳ５に入力される（記憶される）のを防止することができる。また、上記フレーム（本体）１を分離可能な位置決め部７に脱着する際や、用紙Ｗあるいはページを交換する際等、上記フレーム１の枠内に指等がかかる場合も、この指等に起因する誤入力がなく、フレーム１を載置した場所で、直ぐに入力を再開することができて、便利である。
【００５７】
なお、上記入力禁止スイッチＲとしては、プッシュスイッチ等の機械式スイッチの他、感圧スイッチ等の電磁式スイッチ、あるいは、反射率や明暗等を検知する光学式スイッチ等を使用することができる。また、前記入力操作停止スイッチＱの場合と同様、上記フレーム１上のランプＬ等を用いて、「入力禁止中」であることを警告表示してもよく、さらに注意を喚起するのであれば、アラーム等の音による警告を付加してもよい。また、上記入力禁止スイッチＲは、前記第１〜第４実施形態の光学式センサＳ１〜Ｓ４に配設してもよい。片面使用の光学式センサＳ１〜Ｓ３の場合は、上記と同様、フレーム１の裏面側に配設すればよく、両面使用する光学式センサＳ４の場合は、好ましくは、フレーム１の表面側と裏面側の両方に、入力禁止スイッチＲを、入力操作停止スイッチＱとは別にそれぞれ配設すればよい。
【００５８】
そして、上記目盛り線１ｇは、刻印や印刷（プリント）等により、フレーム１表面の内縁部（枠の内側の「検知領域」の縁部）に形成されているもので、その目盛りの間隔やパターンは任意に設定することができる。また、上記ペンホルダ１ｈの形状や配置，素材等も、携帯する筆記用具Ｐ等の形状に合わせて適宜変更すればよい。
【００５９】
以上の構成の光学式センサＳ５を使用した場合も、前記第１〜第４実施形態の手帳装置と同様、筆記用具Ｐ等の枠内における座標位置を検出・特定することができる。そして、筆記用具Ｐ等を移動させてメモや日程等を書き込むと、その移動に伴う上記筆記用具Ｐの先端の軌跡（メモ等の書き込み情報）が検出され、その軌跡をデジタルデータ（電子データ）として上記記憶手段（Ｍ）等に記憶することができる。また、入力操作停止スイッチＱや入力禁止スイッチＲ等による誤入力回避手段や、上記入力をサポートする目盛り線１ｇ等の入力補助手段を装備しているため、より簡単に、正確な情報を入力することができる。
【００６０】
つぎに、最もシンプルな構造の光学式センサＳ６を備える第６実施形態の手帳装置について説明する。図９は、本発明の第６実施形態における手帳装置の構成を説明する平面図である。なお、この第６実施形態における光学式センサＳ６は、上記第５実施形態における、穴（１ａ）を有するフレーム１の一部（位置決め部７）が脱着された光学式センサＳ５（図７，図８参照）と同様の構成であるため、その詳細な説明を省略する。
【００６１】
上記図９のように、この第６実施形態の手帳装置における光学式センサＳ６は、その枠状のフレーム１上に、他の実施形態のような、リング状保持部材（Ｒ）に挿通される穴（１ａ）等を備えておらず、その分、上記フレーム１自体が細枠（スリム）で、かつ、フレーム１全体もコンパクトになっている。そして、この第６実施形態における手帳装置の手帳カバーＮには、不使用保管時または携行時に、上記光学式センサＳ６を収納するためのポケットＵが設けられている。
【００６２】
以上の構成によっても、前記第１〜第５実施形態の手帳装置と同様の作用・効果を奏することができる。しかも、上記第６実施形態の手帳装置は、より軽量かつ安価な手帳装置とすることができる。
【００６３】
〔手帳装置の動作確認〕
手帳のリング状保持部材に穴を挿通した、上記第１〜第６実施形態に記載の光学式センサを、この手帳のレフィル用紙の上に載置し、枠内から露呈した用紙の部分に、筆記用具でメモや日程を書き込んだ。そして、各手帳装置とノートパソコンとを、無線ＬＡＮ経由で接続して通信可能とし、そのノートパソコンを利用して、上記手帳装置のメモリに保存（記憶）された情報を再生した結果、上記各実施形態の手帳装置ともに、上記ノートパソコンのディスプレイ上に、上記用紙に書き込んだメモや日程と同じものを表示することができた。
【産業上の利用可能性】
【００６４】
本発明の手帳装置は、枠内から露呈する用紙にメモや日程等の情報を書き込むと同時に、そのメモ等の情報を電子化することができる。
【符号の説明】
【００６５】
Ｓ１〜Ｓ６，Ｓａ，Ｓｂ  光学式センサ
Ｍ，ＭＣ  記憶手段
Ｎ  手帳カバー
Ｐ  筆記用具
Ｗ  用紙
１  フレーム
２，２Ａ〜２Ｇ  太枠部
【図１】
2012212411.tif 000003
【図２】
2012212411.tif 000004
【図３】
2012212411.tif 000005
【図４】
2012212411.tif 000006
【図５】
2012212411.tif 000007
【図６】
2012212411.tif 000008
【図７】
2012212411.tif 000009
【図８】
2012212411.tif 000010
【図９】
2012212411.tif 000011